(57)【要約】【課題】火山灰が舞う地域において、建物の外壁に設けられた換気装置の故障や、室内に火山灰が侵入することを防止する吸気口フィルタシステムを提供すること。【解決手段】吸気口フィルタシステム１は、建物１００の外壁１１０に設けられた外気を吸気する吸気口１１０ａを覆い、外壁１１０に取り付けられ、吸気口１１０ａが配置され、最下部に下方に向かって開放された開口１０ｂを有する内部空間１０ａを形成する外装体１０と、内部空間１０ａにおいて、吸気口１１０ａと開口１０ｂとの間に配置され、外装体１０に着脱自在に取り付けられ、火山灰を除去可能なフィルタ部２０と、を備える。【選択図】図１
2020199440.tif 000002
【特許請求の範囲】
【請求項１】
建物の外壁に設けられた外気を吸気する吸気口を覆う吸気口フィルタシステムであって、
前記外壁に取り付けられ、前記吸気口が配置され、最下部に下方に向かって開放された開口を有する内部空間を形成する外装体と、
前記内部空間において、前記吸気口と前記開口との間に配置され、前記外装体に着脱自在に取り付けられ、火山灰を除去可能なフィルタ部と、を備える吸気口フィルタシステム。
【請求項２】
前記フィルタ部は、前記外装体に着脱自在に取り付けられるフレームと、
前記フレームに取り付けられるフィルタと、を備える請求項１に記載の吸気口フィルタシステム。
【請求項３】
前記フィルタ部は、前記フィルタより前記外装体の前記開口側において、前記フレームに取り付けられる防虫網と、を更に備える請求項２に記載の吸気口フィルタシステム。
【発明の詳細な説明】
【技術分野】
【０００１】
本発明は、建物の外壁に設けられた外気を吸気する吸気口を覆う吸気口フィルタシステムに関する。
【背景技術】
【０００２】
従来、建物の外壁には、ファンを用いて外気を建物の内部に引き込むための吸気口が設けられる。
例えば、特許文献１には、建物の外壁の裏側に形成された通気層内で空気を通流させる壁用換気ユニットを、通気層の基礎側開口部に臨むように取り付けることが提案されている。
【先行技術文献】
【特許文献】
【０００３】
【特許文献１】特開２０１０−２５５９１９号公報
【発明の概要】
【発明が解決しようとする課題】
【０００４】
ところで、活火山の周辺地域では、噴火により、火山灰が舞っている。
このような火山灰を含む外気を、特許文献１の壁用換気ユニットで吸気した場合、ファンが故障したり、火山灰が通気層内に侵入し、室内の空気を汚染したりする。
【０００５】
そこで、本発明では、上記の課題に鑑みて、火山灰が舞う地域において、建物の外壁に設けられた換気装置の故障や、室内に火山灰が侵入することを防止することが可能な吸気口フィルタシステムを提供することを目的とする。
【課題を解決するための手段】
【０００６】
本発明では、以下のような解決手段を提供する。
【０００７】
本発明は、
建物の外壁に設けられた外気を吸気する吸気口を覆う吸気口フィルタシステムであって、
前記外壁に取り付けられ、前記吸気口が配置され、最下部に下方に向かって開放された開口を有する内部空間を形成する外装体と、
前記内部空間において、前記吸気口と前記開口との間に配置され、前記外装体に着脱自在に取り付けられ、火山灰を除去可能なフィルタ部と、を備える吸気口フィルタシステム。
【０００８】
上記構成によれば、建物の外壁に設けられた外気を吸気する吸気口を覆う吸気口フィルタシステムは、外装体と、フィルタ部と、を備える。
外装体は、外壁に取り付けられ、吸気口が配置され、最下部に下方に向かって開放された開口を有する内部空間を形成する。
フィルタ部は、内部空間において、吸気口と開口との間に配置され、外装体に着脱自在に取り付けられ、火山灰を除去可能である。
【０００９】
このように、外壁に取り付けられる外装体により、最下部に下方に向かって開放された開口を有する内部空間内に吸気口を配置し、吸気口と開口との間にフィルタ部を配置することで、一般的な換気装置を吸気口フィルタシステムで覆うことができるので、換気装置が直接的に火山灰に晒されるのを防止できる。
【００１０】
ここで、通常、火山灰は、上方から舞い降りてくる。本発明の吸気口フィルタシステムは、外装体の最下部に下方に向かって開放された開口を有するので、吸気口が配置されている内部空間に吸引される火山灰を大幅に削減できる。
そして、仮に、下方に向かって開放された開口から、火山灰が吸引されたとしても、吸気口と開口との間には、火山灰を除去可能なフィルタ部が取り付けられているので、吸引した空気中に含まれる火山灰を確実に除去可能である。
【００１１】
したがって、火山灰が舞う地域において、建物の外壁に設けられた換気装置の故障や、室内に火山灰が侵入することを防止することが可能な吸気口フィルタシステムを提供できる。
【００１２】
また、本発明において、前記フィルタ部は、前記外装体に着脱自在に取り付けられるフレームと、
前記フレームに取り付けられるフィルタと、を備えてもよい。
【００１３】
これにより、フィルタを交換する場合、フィルタ部を外装体から取り外し、作業し易い状態で、フィルタを交換できるので、建物の外壁に取り付けられた外装体の開口部から手等を挿入してフィルタを交換する場合に比べ、作業効率が向上する。
【００１４】
また、本発明において、前記フィルタ部は、前記フィルタより前記外装体の前記開口側において、前記フレームに取り付けられる防虫網と、を更に備えてもよい。
【００１５】
これにより、外装体の開口から侵入した害虫（シロアリ等）の侵入を防止したり、このような害虫がフィルタに付着し、フィルタを介した吸気が妨げられるのを防止できる。
【発明の効果】
【００１６】
本発明によれば、火山灰が舞う地域において、建物の外壁に設けられた換気装置の故障や、室内に火山灰が侵入することを防止することが可能な吸気口フィルタシステムを提供できる。
【図面の簡単な説明】
【００１７】
【図１】図１は、本発明の好適な実施形態に係る吸気口フィルタシステムの概要を説明する図である。
【図２】図２は、本発明の好適な実施形態に係る吸気口フィルタシステムの分解斜視図である。
【発明を実施するための形態】
【００１８】
以下、本発明を実施するための好適の形態について図を参照しながら説明する。なお、これはあくまでも一例であって、本発明の技術的範囲はこれに限られるものではない。
【００１９】
図１は、本発明の好適な実施形態に係る吸気口フィルタシステム１の概要を説明する図である。図１中の点線の矢印は、空気の流れを示している。
吸気口フィルタシステム１は、建物１００の外壁１１０に設けられた外気を吸気する吸気口１１０ａ（差圧式換気口１１１や、熱交換器吸気口１１２等）を覆って、外壁１１０に設けられ、外装体１０と、フィルタ部２０と、を備える。
【００２０】
外装体１０は、外壁１１０に取り付けられ、最下部に下方に向かって開放された開口１０ｂを有する内部空間１０ａを形成する箱形状に形成され、内部空間１０ａに吸気口１１０ａが配置されている。外装体１０は、例えば、鋼板を箱形状に形成してもよいし、骨組みとなるフレームに、外装材を貼って箱形状に形成してもよい。また、外装体１０は、天板を外壁１１０から下方に傾斜させるのが望ましい。これにより、雨水や火山灰が天板に溜まってしまうことを防止できる。
【００２１】
図２は、本発明の好適な実施形態に係る吸気口フィルタシステムの分解斜視図である。
フィルタ部２０は、内部空間１０ａにおいて、吸気口１１０ａ（図１参照）と開口１０ｂとの間に配置され、外装体１０に着脱自在に取り付けられ、火山灰を除去可能である。
フィルタ部２０は、フレーム２１と、フィルタ２２と、防虫網２３と、を備える。
【００２２】
フレーム２１は、外装体１０の内部空間１０ａの内部寸法と、同じか僅かに小さい寸法で、外形が形成され、外装体１０の内部空間１０ａに、例えば、固定金具やビス等で、着脱自在に取り付けられる。フレーム２１は、図２に示す例では、Ｌ型アングルにより形成され、四隅に配置され上下方向に延びる縦軸と、互いに隣接する縦軸とに接続された横軸と、を備える。フレーム２１は、図２に示す例に限らず、フィルタ２２と、防虫網２３と、を固定可能であり、外装体１０の内部空間１０ａに配置可能であれば、任意の態様で形成することができる。
【００２３】
フィルタ２２は、外装体１０の内部空間１０ａにおいて、吸気口１１０ａ（図１参照）と開口１０ｂとを隔てるように（下に向けて）配置され、フレーム２１に着脱自在に取り付けられる。フィルタ２２は、例えば、外縁を形成するフィルタフレームと、フィルタフレームに貼られた粉塵フィルタと、フィルタフレームの外周に設けられ、フィルタ２２と外装体１０の内壁との隙間を塞ぐパッキン（例えば、スポンジ素材やゴム素材等）と、を備える。粉塵フィルタは、不織布フィルタや、８０μｍ角以下のメッシュ状フィルタを用いることができる。
【００２４】
防虫網２３は、外装体１０の内部空間１０ａにおいて、フィルタ２２より外装体１０の開口１０ｂ側において、フレーム２１に取り付けられる。防虫網２３は、例えば、外縁を形成する防虫網フレームと、防虫網フレームに貼られた網と、フィルタフレームの外周に設けられ、防虫網２３と外装体１０の内壁との隙間を塞ぐパッキン（例えば、スポンジ素材やゴム素材等）と、を備える。網は、例えば、ステンレス製の線径０．１８ｍｍで、０．４５ｍｍ×０．６６ｍｍ以下（例えば、０．４５５ｍｍや０．２５ｍｍ等）の網目を形成したものを用いることができる。
【００２５】
次に、吸気口フィルタシステム１の設置方法について説明する。
建物１００の外壁１１０に設けられた吸気口１１０ａを覆うように、開口１０ｂが下になるように、外壁１１０に外装体１０を取り付ける。
次に、フィルタ部２０のフレーム２１に、上段にフィルタ２２、下段に防虫網２３を取り付け、この状態のフレーム２１を、上段側から、外装体１０の内部空間１０ａに開口１０ｂから挿入し、外装体１０とフィルタ部２０とを、固定金具で互いに固定する。
【００２６】
以上、本発明の実施形態及び変形例について説明したが、本発明は上述したこれらの実施形態に限るものではない。また、本発明の実施形態及び変形例に記載された効果は、本発明から生じる最も好適な効果を列挙したに過ぎず、本発明による効果は、本発明の実施形態及び変形例に記載されたものに限定されるものではない。
【符号の説明】
【００２７】
１  吸気口フィルタシステム
１０  外装体
１０ａ  内部空間
１０ｂ  開口
２０  フィルタ部
２１  フレーム
２２  フィルタ
２３  防虫網
１００  建物
１１０  外壁
１１０ａ  吸気口
１１１  差圧式換気口
１１２  熱交換器吸気口
【図１】
2020199440.tif 000003
【図２】
2020199440.tif 000004